(57)【要約】      （修正有）【課題】腎臓病によりカテーテル（尿を取り出す管）を取付けた患者の為に携帯用としてコンパクトに下腹部に装着し排尿作業が使安い携帯用蓄尿人工膀胱尿パックを提供する。【解決手段】腎臓病により尿管皮膚瘻手術後尿を取り出す管テーテル３とシリコン樹脂からなる尿パック１を接続し、下腹部に装置して尿が溜まったとき排尿しやすい携帯蓄尿人工膀胱尿パック。尿パック１は一部をプラスチックとシリコンゴムの樹脂素材とすることが望ましく、長時間使用しても腐敗を防止することができる。尿パック１は、横長で下腹部に沿う型となることが望ましい。【選択図】図１
0003123621.tif 000002
【実用新案登録請求の範囲】
【請求項１】
腎臓病により尿管皮膚瘻手術後（尿を腎臓から取り出す管カテーテル）これと尿パックを接続し下腹部に装着し尿が溜った時排尿使安い携帯蓄尿用人工膀胱（尿パック）
【請求項２】
ベルトの下腹部の部分にポケットを取り付け尿パック取付け装着が使安くポケットの底の部分は排尿使安い様にカットされています。又排尿チューブを使用しない時は折りたたみマジックテープで止めて保管します
携帯蓄尿パック装着ベルト
【考案の詳細な説明】
【技術分野】
【０００１】本考案は人工膀胱（尿パック）を下腹の部分に装着し携帯用として体に密着し排尿使安い構造として考えました
【背景技術】
【０００２】今までの物は太モモの部分に装着され排尿の時いちいちズボンを下さなくてはなりませんでした．男性の場合チャクを開くだけで排尿作業を出来るようにしました
【考案の開示】
【考案が解決しようとする課題】
【０００３】本考案は腎臓病によりカテーテル（尿を取り出す管）を取り付け手術した患者の為に携帯用として考えました．男女共用型です
【課題を解決する為の手段】
【０００４】尿パックは装着ベルトのポケトに楽に出し入れ出来る様に考えました．
排尿チュウブは装着ベルトポケト部分にマジックテープで止めてあります
排尿排出する時はチュウブをマジックテープから取り出せる様にしてあります．
【考案の効果】
【０００５】従来の物は太モモ部分に取り付け尿がパックに溜ると不自然に見えたり歩るいている時気になったものです．
本考案のものは下腹部に簡単に取り付けることが出来排出作業が楽に出来ます．尿がパックに溜っても気になりません
〔考案の実施する為の最良の形態〕
【０００６】人工膀胱（パック）は下腹部に沿った横長の型で底部分は尿が溜った時排出使安い様に船底型にしてあります．
以前の場合太モモに立て長に取り付けた場合より横長の方が下腹部に一体となり尿が溜っても目立ちません
【実施例】
【０００７】人工膀胱（尿パック）は一部プラスチックスとシリコン樹脂の素材から出来ているものです．長時間使用しても腐敗したりはしません
弱点としまして．ゴム製品ですので鋭い物を当てたり乱暴な取扱いに注意しましょう．【０００８】図２の様に着用ベルト（ポケット）の底の部分はカットされて穴になっていますここは人工膀胱排尿チューブの部分が出て排尿使安くしてあります．
排尿チューブは使用しない時折りたたみポケットの一部にマジックテープで固定するようにしてあります．【０００９】本考案の実施例は携帯用として考えた物であるが夜る睡眠時間が長い時は尿料が多い為に別に市販されている大きめのパックを使用された方が良いと思います．
【図面の簡単な説明】
【００１０】
【図１】本考案の携帯蓄尿用人工膀胱（尿パック）の実施例を示す正面図
【図２】本考案の人工膀胱（パック）を入れる装着ポケトとバンドの断面図
【図３】人工膀胱（パック）と装着ベルトの一帯した正面図
【図４】排尿しない時排尿チューブ（排尿弁）は折り曲げてマジックテープでポケットの一部に固定する正面図
【符号の説明】
【００１１】１  パック本体の型
２  カテーテル接続管
３  腎臓に挿入している管カテーテル（尿排出管）
４  排尿チューブ（排尿弁）
５  装着ベルト  長い間使用すると捩れる場合があるので幅広の物が良い．
６  蓄尿用（パック）を入れるポケット
７  ポケットの底辺部は排尿チュウブが出るように穴底にカットします．
８  装着ベルトのポケットに蓄尿用パックが一体した正面図
９  排尿チューブこれは使用しない時は折り曲げてマジックテープでポケットの一部に固定すると邪魔になりません
【図１】
0003123621.tif 000003
【図２】
0003123621.tif 000004
【図３】
0003123621.tif 000005
【図４】
0003123621.tif 000006
【手続補正書】
【提出日】平成18年4月12日(2006.4.12)
【手続補正１】
【補正対象書類名】実用新案登録請求の範囲
【補正対象項目名】全文
【補正方法】変更
【補正の内容】
【実用新案登録請求の範囲】
【請求項１】
腎臓病により尿管皮膚瘻手術後尿を取り出す管カテーテルとシリコン樹脂からなる尿パックを接続し下腹部に装着して尿が溜まったとき排尿しやすい携帯蓄尿人工膀胱尿パック。
【請求項２】
請求項１の尿パックを装着ベルトのポケットに入れ固定する、ポケットの底の部分は排尿しやすいために尿パックの排尿棒を出す穴を設ける尿パック装着ベルト。
【手続補正２】
【補正対象書類名】明細書
【補正対象項目名】全文
【補正方法】変更
【補正の内容】
【考案の詳細な説明】
【技術分野】
【０００１】本考案は一部プラスチクスとシリコン樹脂からなる尿パック男女共用型に関する。
【背景技術】
【０００２】腎臓病によりカテーテル尿をとり出す管手術をした、患者が携帯用として使用します。
【考案の開示】
【考案の解決しようとする課題】
【０００３】従来のものは足の太ももの部分に取り付け排尿時に手間がかかりました、本考案の尿パックは下腹部に装着し男性の場合特にズボンのチャクを開くだけで自然な動作で排尿出来ます。
【課題を解決するための手段】
【０００４】尿パック携帯用としてコンパクトな型にしてあり夜るの睡眠時間帯は尿量が多いために一般市販の大きめの尿パックを使用すると良いでしょう。
【考案の効果】
【０００５】本考案の尿パックは装着ベルトの組合わせにより簡単な取り扱いで装着出来ます、従来の物より体に密着し目立ったり、気になったりしません。
【考案を実施するための最良の形態】
【０００６】図１に示すように尿パックは横長で下腹部に沿う型にしました、横の上部にカテーテと接続する管がありここから尿パック中に溜ります。パックの底の部分は排尿しやすいために船底型にして排尿弁を通り排出されます。
【実施例】
【０００７】図２に示すように装着ベルトのポケットの底の部分は排尿棒を出す穴としてカットされてます、排尿棒の先の部はバルブ式で左右に回転することで開閉しこれで排出します。
【産業上の利用可能性】
【０００８】不規則な生活や体の疲れにより肝臓障害者が多いと聞いています、尿パック使用者は外出時や仕事などの一般生活が不自由なく送る事が出来るものとして優れた商品です。【０００９】しかしながら尿パックは樹脂素材からなるもので長時間使用しても腐敗はしませんがゴム製品ですので鋭い物を当てたり乱暴な取扱いに注意しましょう。
【図面の簡単な説明】
【００１０】
【図１】本考案の尿パックの正面図
【図２】本考案の尿パックを固定する装着ベルトとポケットの断面図
【図３】本考案の尿パック装着ベルトとカニウラの一体図
【図４】本考案の尿パックの排尿棒、使用しない時折り曲げて綿ファスナでポケットの一部に固定する正面図
【符号の説明】
【００１１】１  尿パック本体
２  カテーテル接続管
３  腎臓に挿入しているカテーテル尿排出管
４  排尿棒、先端部  排尿弁
５  装着ベルト
６  ポケット、底の部分は排尿棒が出る穴としてカットされてます。